(57)【要約】【課題】  テニス肘等を予防、軽減または解消させる。【解決手段】  運動器具１Ａは、支持部２の外周に５本のバネ３を介して５本の指を挿入できるような固定部４を設けた構成を有している。バネ３は、固定部４に入れた指を開こうとすると、それを抑えるような弾性力を持っている。このため、指を開こうとすると、指を開こうとした場合に使用する腕の筋肉に負荷がかかる。したがって、運動器具１Ａの固定部４に指を入れ、その指を開いたり閉じたりすることにより、指を開く場合に使用する腕の筋肉、すなわち、テニス等で使用する腕の筋肉を増強させることができるので、テニス肘等を予防、軽減または解消させることができる。【選択図】  図１
2005205112.tif 000002
【特許請求の範囲】
【請求項１】
弾性体と、前記弾性体に設けられ、人の複数本の指を着脱自在の状態で固定する複数の固定部とを備え、前記弾性体は、前記複数本の指を開こうとした場合にそれを抑える方向に作用するような弾性力を持つことを特徴とする運動器具。
【請求項２】
支持部と、前記支持部の中心から外周に向かう方向に伸びるような状態で前記支持部の外周に取り付けられた複数の弾性体と、前記複数の弾性体の各々の端部に取り付けられ、人の複数本の指を着脱自在の状態で固定する複数の固定部とを備え、前記弾性体は、前記複数本の指を開こうとした場合にそれを抑える方向に作用するような弾性力を持つことを特徴とする運動器具。
【請求項３】
第１支持部と、前記第１支持部を取り囲むようにリング状に形成された第２支持部と、前記第１、第２支持部の間に弾性体を介して設けられ、人の複数本の指を着脱自在の状態と固定する複数の固定部とを備え、前記弾性体のうち、前記第１支持部と前記固定部との間に介在された弾性体は、前記複数本の指を開こうとした場合にそれを抑える方向に作用するような弾性力を持ち、前記第２支持部と前記固定部との間に介在された弾性体は、前記複数本の指を閉じようとした場合にそれを抑える方向に作用するような弾性体を持つことを特徴とする運動器具。
【請求項４】
リング状の弾性体と、前記リング状の弾性体に一体的に設けられ、人の複数本の指を着脱自在の状態で固定する複数の固定部とを備え、前記弾性体は、前記複数本の指を開こうとした場合にそれを抑える方向に作用するような弾性力を持つことを特徴とする運動器具。
【発明の詳細な説明】
【技術分野】
【０００１】  本発明は、運動器具に関し、特に、テニス肘等のような腕の痛みを予防、軽減または解消することが可能な運動器具に適用して有効な技術に関するものである。
【背景技術】
【０００２】  テニス肘は、初心者や腕の筋力の弱いプレーヤーなどが、例えばフォアハンドストロークとバックストロークでボールを打ち返すときに、肘にある上腕骨外側上顆部に過度の力が作用して、その上顆部が炎症を起こすことにより、肘を痛める病気である。
このテニス肘に対する処置方法としては、肘の安静を保つことや、上腕骨外側上顆部やその周辺をサポーター（バンド）やテープで圧迫または固定し、その上顆部への負荷を軽減したり、痛みを緩和したりするような処置が行われていた（例えば特許文献１参照）。
【特許文献１】          実開平２−３７６１２号公報
【発明の開示】
【発明が解決しようとする課題】
【０００３】  ところが、本発明者の検討によれば、上記テニス肘用の器具は、肘の痛みを軽減する効果は認められるものの根本的なものではなく、テニス肘等の予防や、なってしまったテニス肘の痛みを軽減し、あるいは解消するようなものではないという問題がある。
そこで、本発明の目的は、テニス肘等を予防、軽減または解消させることのできる器具を提供することにある。
【課題を解決するための手段】
【０００４】  本発明は、弾性体と、前記弾性体に設けられ、人の複数本の指を着脱自在の状態で固定する複数の固定部とを備え、前記弾性体は、前記複数本の指を開こうとした場合にそれを抑える方向に作用するような弾性力を持つものである。
【発明の効果】  本発明の運動器具に指を固定した状態で指を開いたり閉じたりすることにより、テニス等のような運動をする場合に使用する腕の筋肉を増強することができるので、テニス肘等を予防、軽減または解消させることが可能となる。
【発明を実施するための最良の形態】
【０００５】（実施の形態１）
図１は、本実施の形態１の運動器具１Ａの一例の全体平面図を示している。運動器具１Ａは、中央の支持部２と、支持部２の外周に取り付けられた５本のバネ（弾性体）３と、その５本のバネ３の各々の端部に取り付けられた５個の固定部４とを有している。
支持部２は、例えば金属または硬い樹脂からなり、リング状に形成されている。バネ３は、例えば金属等で形成されたコイルバネからなり、支持部２の中心から外周の方向に向かって引っ張ろうとした場合にそれを抑えるような方向に作用するような弾性力を持っている。バネ３に代えて、例えば柔軟性を持つ樹脂等で形成されたゴム（弾性体）を使用しても良い。ゴムを使用した場合も弾性力の方向はバネ３の場合と同じである。金属等からなるバネ３を使用した場合、ゴムを使用した場合に比べて運動器具１Ａの寿命を向上させることができる。ゴムを使用した場合、バネ３を使用した場合に比べて運動器具１Ａを小さくした状態で持ち運ぶことができるので携帯性の上で優れている。上記固定部４は、金属、樹脂または皮革等からなり、リング状に形成されている。各固定部４のリングの径は、人の五指の各々が入る程度の大きさにされている。固定部４は、人の指を挿入する部分なのでその表面は滑らかになるような処理が施されている。【０００６】  図２は、上記運動器具１Ａの使い方を示しており、同２（ａ）は手を閉じている様子、同図（ｂ）は手を開いている様子を示している。この運動器具１Ａを使用するには、各固定部４に指を挿入した状態で、その手を開くような方向に力を入れる（図２（ｂ）の矢印Ｐ１）。すると、バネ３は、指が開くのを抑えるように作用するため（図２（ｂ）の矢印Ｐ２）、指を開こうとした場合に使用する腕の筋肉に負荷がかかる。すなわち、指を閉じたり開いたりすることにより、指を開く場合に使用する腕の筋肉を増強させることができる。このとき使用する腕の筋肉は、指を閉じようとした場合に使用する腕の筋肉とは異なる筋肉で、テニス等のような運動をする場合に負荷がかかる部分に関係する筋肉である。このため、この筋肉を増強することにより、テニス肘等を予防することができる。また、なってしまったテニス肘等の痛みを軽減しまたは解消することができる。【０００７】  図３および図４は、上記固定部４の変形例を示している。図３では、固定部４にベルト４ａを設けることにより、固定部４の径が変えられるようにされている。また、図４では、固定部４にマジックテープ４ｂを使用することにより、固定部４の径が変えられるようにされている。また、この他に、固定部４自体をゴムで形成することで固定部４の径がある程度変えられるようにしても良い。いずれの場合も固定部４の径を変えられるので、１つの運動器具１Ａを、指の太さの違う多数の人々が使用することができる。【０００８】（実施の形態２）
図５は、本実施の形態２の運動器具１Ｂの一例の全体平面図を示している。本実施の形態２では、前記実施の形態１で説明した運動器具を取り囲むような大径の支持部５を備え、その支持部５と各固定部４とがバネ６を介して接合されている。このバネ６は、例えば金属等で形成されたコイルバネからなり、支持部５から支持部２の方向に向かって引っ張ろうとした場合にそれを抑えるような方向に作用するような弾性力を持っている。すなわち、上記バネ３とは反対の方向に作用する弾性力を持っている。バネ６に代えて、例えば柔軟性を持つ樹脂等で形成されたゴム（弾性体）を使用しても良い。バネ６やゴムを使用した場合の各々の効果は前記実施の形態１と同じなので説明を省略する。
本実施の形態２の運動器具１Ｂの場合は、指を開くと前記実施の形態１で説明したように指を開くときに使用する腕の筋肉を鍛えることができ、指を閉じると、バネ６の作用により指が閉じるのが抑えられるので指を閉じる場合に使用する腕の筋肉を鍛えることができる。したがって、指を閉じたり開いたりすることにより、指を開く場合に使用する腕の筋肉と、指を閉じる場合に使用する腕の筋肉との両方を増強させることができる。【０００９】（実施の形態３）
図６は、本実施の形態３の運動器具１Ｃの一例の全体平面図を示している。本実施の形態３の運動器具１Ｃは、大径の枠体７と、その内周に取り付けられた小さな平面リング状の複数の固定部４とを有している。大径の枠体７は、例えば金属等からなるコイルバネまたは柔軟性のある樹脂等からなるゴム等のような弾性体からなり、枠体７を広げようとするとそれを抑えるような方向に作用する弾性力を持っている。固定部４は前記実施の形態１，２と同じである。ただし、この場合の固定部４は、枠体７とは別に取り付けたものであっても良いが、枠体７と一体的に形成されていても良い。固定部４と枠体７とを一体的にすることにより運動器具１Ｃの部品点数を減らすことができるので、運動器具１Ｃの製造工程を簡略化でき、運動器具１Ｃの製造時間を短縮でき、また、運動器具１Ｃのコストを低減できる。【００１０】  本実施の形態３の場合も前記図３および図４で示したのと同様に固定部４の径を変えられるようにしても良い。また、図７の運動器具１Ｄのように、固定部４の一部を切断したような形状にしても良い。この場合、固定部４に指を入れたときに、指の太さが固定部４の径よりも大きい場合、固定部４が開くので、ある程度の指の太さの違いを補うことができる。また、固定部４は、図８の運動器具１Ｅのように、枠体７の外周に設けても良い。
本実施の形態３の場合も指を開いたり閉じたりすることにより、指を開く場合に使用する腕の筋肉を増強させることができるので、前記実施の形態１と同様の効果を得ることができる。
以上、上記の実施の形態ではテニス肘対策に適用した場合について説明したが、これに限定されるものではなく種々適用可能であり、例えばグルフ肘対策、ボディビルダーの筋肉増強などにも適用できる。
【産業上の利用可能性】  本発明は、運動器具や健康器具に係わる産業に適用できる。
【図面の簡単な説明】
【００１１】
【図１】  本発明の一実施の形態である運動器具の一例の全体平面図である。
【図２】  図１の運動器具の使い方を示しており、（ａ）は手を閉じている様子、（ｂ）は手を開いている様子の説明図である。
【図３】  本発明の他の実施の形態である運動器部の固定部の一例の説明図である。
【図４】  本発明の他の実施の形態である運動器部の固定部の一例の説明図である。
【図５】  本発明の他の実施の形態である運動器具の一例の全体平面図である。
【図６】  本発明の他の実施の形態である運動器具の一例の全体平面図である。
【図７】  本発明の他の実施の形態である運動器具の一例の全体平面図である。
【図８】  本発明のさらに他の実施の形態である運動器具の一例の全体平面図である。
【符号の説明】
【００１２】１Ａ，１Ｂ，１Ｃ，１Ｄ，１Ｅ  運動器具
２  支持部
３  バネ（弾性体）
４  固定部
４ａ  ベルト
４ｂ  マジックテープ
５  支持部
６  バネ
７  枠体（弾性体）
【図１】
2005205112.tif 000003
【図２】
2005205112.tif 000004
【図３】
2005205112.tif 000005
【図４】
2005205112.tif 000006
【図５】
2005205112.tif 000007
【図６】
2005205112.tif 000008
【図７】
2005205112.tif 000009
【図８】
2005205112.tif 000010